(57)【要約】    【課題】  戸先下部の振れを防止でき、しかも引戸本体の戸先に凹部が形成されるため引戸開閉動作による引っ掛かかりを生じない安全な引戸装置を提供する。    【解決手段】開口部を開閉する引戸本体、この引戸本体を吊下げて、開口部に隣接した隣接壁部に対面する開位置と開口部を閉止する閉位置との間を水平移動可能に支持するスライド支持手段、及び閉位置における引戸本体の振れ止めのため、引戸本体の戸先とこの戸先と向き合う開口縦枠とを係合させる係合手段を有し、前記係合手段は、開口縦枠に形成された凸部と、引戸本体の戸先に形成されるとともにこの凸部が少なくとも水平方向にガタツキなく挿入しうる凹部とからなり、しかも前記係合手段は、開口部の下位に少なくとも一つが配置されることを特徴とする。【選択図】  図５
2006104885.tif 000002
【特許請求の範囲】
【請求項１】
開口部を開閉する引戸本体、この引戸本体を吊下げて、開口部に隣接した隣接壁部に対面する開位置と開口部を閉止する閉位置との間を水平移動可能に支持するスライド支持手段、及び閉位置における引戸本体の振れ止めのため、引戸本体の戸先とこの戸先と向き合う開口縦枠とを係合させる係合手段を有し、
前記係合手段は、開口縦枠に形成された凸部と、引戸本体の戸先に形成されるとともにこの凸部が少なくとも水平方向にガタツキなく挿入しうる凹部とからなり、
しかも前記係合手段は、開口部の下位に少なくとも一つが配置されることを特徴とする引戸装置。
【請求項２】
前記係合手段を構成する凸部、又は凹部の一方を吸着体で形成し、かつ他方を磁力により前記吸着体と引き合い吸着する被吸着体で形成することを特徴とする請求項１記載の引戸装置。
【請求項３】
前記凹部は、表側に縦の長穴を有するとともに裏側に磁石を埋設した雌金具を前記引戸本体の戸先に形成された取付け穴に嵌合して形成され、
前記凸部は、縦にのびた膨出部を有するとともに磁性体を用いて形成された雄金具を開口縦枠に固着して形成され、
前記雄金具の膨出部は、雌金具に長穴に水平方向にガタツキなく挿入しうることを特徴とする請求項１又は２記載の引戸装置。
【請求項４】
前記雄金具は、開口縦枠に対する固着位置を、少なくとも水平方向に微調整しうる位置調整手段を有することを特徴とする請求項３記載の引戸装置。
【請求項５】
前記係合手段は、開口部の上下に亘り複数が形成されることを特徴とする請求項１〜４のいずれかに記載の引戸装置。
【発明の詳細な説明】
【技術分野】
【０００１】
本発明は、戸先が安定して支持され、振動などガタツキなく開口部を閉止できる引戸装置に関する。
【背景技術】
【０００２】
住宅など建物において、吊下げて支持された引戸本体が、開口部を閉止する閉位置と開口部に隣接する隣接壁部に対面する開位置との間で平行移動可能に構成された引戸装置は、蝶番を用いてドアを回転支持したドア装置に比べ、開閉動作に必要なスペースが小さいことから、巾の狭い廊下、階段踊り場などに面した開口部に好適に採用されている。
【０００３】
そして、閉止動作において戸当りから受ける反動、歩行による微振動、風などにより、閉位置の引戸本体と開口縦枠との間に生じる隙間を防止するため、引戸本体の戸先中位に鎌錠本体を埋設し、錠受け具を取り付けた開口縦枠と開閉可能に施錠する鎌錠が多く用いられている。更に施錠操作なしで前記隙間防止を図るため、図１４に示すように、引戸本体ａの戸先上端部に磁石ｂを設けることにより、閉位置にある引戸本体ａの磁石ｂと吊りレールｄ端部の鉄製のレールストップｅとを、磁力により吸着させる構造が提案されている（例えば、特許文献１参照）。
【０００４】
【特許文献１】実用新案登録番号３０００５８９号公報
【発明の開示】
【発明が解決しようとする課題】
【０００５】
上部前後端２箇所で上レールに吊下げ支持された引戸本体は、戸尻下部が下レールにより支持されたとしても、閉位置において合計３点で支持されるため、特に支持点から離れる戸先下部で引戸本体の直角方向に大きな振れが生じる。しかしながら前記鎌錠では、鎌形状のデッドボルト、受け金具間に形成されるクリアランスにより引戸本体厚さ方向に一定のガタツキが避けられず、しかも鎌錠は戸先の中位に配置されるため前記戸先下部に大きな振れを生じる。
【０００６】
また前記図１４の戸先上端部に磁石ｂを設けた引戸装置では、戸先側は上部のみが支持されるため、下部において大きな振れが発生する。
【０００７】
本発明は、引戸本体の戸先とこの戸先と向き合う開口縦枠とを係合させる係合手段を有し、前記係合手段は、開口縦枠に形成された凸部と、引戸本体の戸先に形成されるとともにこの凸部が少なくとも水平方向にガタツキなく挿入しうる凹部とからなり、しかも前記係合手段は、開口部の下位に少なくとも一つが配置されることを基本とし、戸先下部の振れを防止でき、しかも引戸本体の戸先に凹部が形成されるため引戸開閉動作による引っ掛かかりを生じない安全な引戸装置の提供を課題としている。
【課題を解決するための手段】
【０００８】
前記目的を達成するために、請求項１に係る発明は、開口部を開閉する引戸本体、この引戸本体を吊下げて、開口部に隣接した隣接壁部に対面する開位置と開口部を閉止する閉位置との間を水平移動可能に支持するスライド支持手段、及び閉位置における引戸本体の振れ止めのため、引戸本体の戸先とこの戸先と向き合う開口縦枠とを係合させる係合手段を有し、前記係合手段は、開口縦枠に形成された凸部と、引戸本体の戸先に形成されるとともにこの凸部が少なくとも水平方向にガタツキなく挿入しうる凹部とからなり、しかも前記係合手段は、開口部の下位に少なくとも一つが配置されることを特徴とする。
【０００９】
請求項２に係る発明では、前記係合手段は、凸部、又は凹部の一方を吸着体で形成し、かつ他方を磁力により前記吸着体と引き合い吸着する被吸着体で形成し、また請求項３に係る発明において、前記凹部は、表側に縦の長穴を有するとともに裏側に磁石を埋設した雌金具を前記引戸本体の戸先に形成された取付け穴に嵌合して形成され、前記凸部は、縦にのびた膨出部を有するとともに磁性体を用いて形成された雄金具を開口縦枠に固着して形成され、前記雄金具の膨出部は、雌金具に長穴に水平方向にガタツキなく挿入しうることを特徴とする。
【００１０】
請求項４に係る発明では、前記雄金具は、開口縦枠に対する固着位置を、少なくとも水平方向に微調整しうる位置調整手段を有し、また請求項５に係る発明において、前記係合手段は、開口部の上下に亘り複数が形成されることを特徴とする請求項１〜４のいずれかに記載の引戸装置である。
【発明の効果】
【００１１】
請求項１に係る発明は、係合手段は、開口縦枠に形成された凸部と、引戸本体の戸先に形成されるとともにこの凸部が少なくとも水平方向にガタツキなく挿入しうる凹部とからなり、しかも前記係合手段は、開口部の下位に少なくとも一つが配置されるため、閉位置における引戸本体は、厚さ方向の振れが抑制されて、振れによる振動音がないとともに外観上の安定感がえられる。また戸先には係合手段の凹部が形成されて出張りがないため、開閉動作時の引っ掛かりが防止される。
【００１２】
請求項２に係る発明のように、凸部、又は凹部の一方を吸着体で形成し、かつ他方を磁力により前記吸着体と引き合い吸着する被吸着体で形成する場合、前記磁力の作用で引戸本体が引寄せられて開口縦枠との隙間を防止するとともに前記振れが確実に防止され、また請求項３に係る発明のように構成すると、係合手段の凹部と凸部とが簡単に形成できて施工性に優れ、かつ磁石が埋設された雌金具と磁性体を用いた雄金具とが磁力で引き合い前記振れを防止できる。
【００１３】
請求項４に係る発明では、位置調整手段を用いた凸部の位置調整によって凹凸がスムースに係合でき、また請求項５に係る発明のように、開口部の上下に亘り複数の係合手段を形成すると、引戸本体の振れを確実に抑制しうる。
【発明を実施するための最良の形態】
【００１４】
以下、本発明の実施の一形態を、図示例とともに説明する。図１に示すように、引戸装置１は、開口部２を開閉する引戸本体３、この引戸本体３を吊下げて、隣接壁部４に対面する開位置と開口部２を閉止する閉位置との間を水平移動可能に支持するスライド支持手段７、及び閉位置における引戸本体３の振れを防止する係合手段９を有する。
【００１５】
前記開口部２は、図１、２に示すように、人の出入、採光、通風などのため、住宅その他建物の居室と廊下、又は隣接する居室間等に立設された間仕切壁、又は外壁等の壁Ｗに形成された空所であり、この開口部２の戸先側縁部には、前記壁Ｗに固着された縦長の開口縦枠８が配置され、引戸本体３の戸当りを形成している。本形態の開口部２は、その高さが例えば１８００〜２７００ｍｍ程度、幅は例えば７００〜１６００ｍｍ程度に形成される。
【００１６】
前記隣接壁部４は、前記壁Ｗの中で、前記開口部２に隣接するとともに開位置の引戸本体３と向き合う部分により構成され、壁主部４Ａと、該壁主部４Ａの開口部２側に連続形成される縁壁部４Ｂとからなる。
【００１７】
前記壁主部４Ａは、図９、１０に示すように、下地桟２１の両側に内装下地板２２を固着し、その上に壁クロス、壁紙、塗り壁等の仕上層（図示せず）を積層している。また本形態では、前記壁主部４Ａとこれに続く壁Ｗとは、同じ厚さで形成し、しかも前記仕上層は連続して形成されるため、見栄えが良いとともに設計施工を合理化できる。更に壁主部４Ａとこれに続く壁Ｗとを下地を含め一体構造として構成することもできる。
【００１８】
前記縁壁部４Ｂは芯板２３と、該芯板２３の引戸本体３に対面する側に配した傾斜部材２４と、反対側の内装下地板２５とからなり、前記傾斜部材２４は、引戸本体３に向き合う表面が開口部２に近い程後退した傾斜部２４Ａを有する。芯板２３と、傾斜部材２４と、内装下地板２５とを予め一体化した縁壁パネルを用い、これを壁主部４Ａの開口部２側に固着して縁壁部４Ｂを形成することができる。さらには壁主部４Ａと縁壁部４Ｂとを予め一体化した隣接壁部パネルを用いるなど、各種変形が可能である。
【００１９】
前記引戸本体３は、本形態では、図２、１１に示すように、開口部２と略同大の矩形板状をなし、例えば矩形状の周囲枠と、この周囲枠の内側に架け渡された縦又は横の補強桟とからなるフレームの両面に化粧板を貼着して形成されたフラッシュ戸、或いは周囲を框材で囲んだ内側に鏡板を取付けた框戸などによって構成される。
【００２０】
前記引戸本体３を水平移動可能に支持するスライド支持手段７は、本形態では、引戸本体３の上部を支持する上支持手段７Ｕと、引戸本体３の戸尻下部を支持する下支持手段７Ｄとからなり、さらに本形態の上支持手段７Ｕは、ガイドレール２６とこのガイドレール２６内を移動する移動部２７とからなる。
【００２１】
前記ガイドレール２６は、図８、１１に示すように、下方に開口する溝体２８と、この溝体２８の下部に装着されるガイド板２９とからなり、水平な筒状をなす。前記溝体２８は、両フランジの内面下部に内向きにのびる走路片３０、３０を並設し、更に一方の走路片３０の下部に取付片３１を垂下する。またこの取付片３１と反対側のフランジには、その下端が内側に折れ曲がった係止片３２が形成される。
【００２２】
前記ガイド板２９は、横長の長板状をなし、図１０に示すように、引戸本体３の幅寸法よりも少し短い間隔で、前記ガイドレール２６の長手方向に縦に並ぶ２個のスリット状のガイド部３３、３３を具える。そしてこのガイド部３３は、前記隣接壁部４に平行な直行部３４と、この直行部３４に連続するとともに開口部２に漸次近づき、直行部３４に対して平面視斜めを向く斜行部３５とを有し、本形態の斜行部３５は平面視湾曲状に形成されている。
【００２３】
また、ガイド板２９は、前記溝体２８の取付片３１と向き合う側端部に取付溝３６を設けるとともに他の端部に外を向く係止溝３７が形成される。そして、この係止溝３７に前記溝体２８の係止片３２を嵌合係止するとともに取付溝３６に前記取付片３１を圧入嵌合し、これによりガイド板２９と溝体２８とが着脱可能に一体化され、ガイドレール２６が構成される。
【００２４】
なお、前記ガイドレール２６は、図１０に示すように、開口部２から隣接壁部４に及ぶ長さに形成され、溝体２８の上部に形成された固着片３８を壁Ｗに固着することにより、開口部２及び隣接壁部４の上部に水平に取付けられる。また、意匠性を高めるため、ガイドレール２６の前面及び上面は、断面横Ｌ字状の化粧木材等からなる飾り材３９により覆われる。
【００２５】
前記移動部２７は、第１の移動部２７Ａと、第２の移動部２７Ｂとからなる。第１の移動部２７Ａは、移動台４０とこの移動台４０の両側に各々２個設けられた第１の車輪４１Ａとを具え、また移動台４０の中央には、ガイドレール２６の長手方向に直行する長孔４２が形成される。
【００２６】
前記第２の移動部２７Ｂは、計４個の第２の車輪４１Ｂと、垂下されその下端に取付プレート４４を有する支持軸４３とを具える。この第２の移動部２７Ｂは、支持軸４３が移動台４０の長孔４２を挿通した状態で第１の移動部２７Ａ上に配され、第２の車輪４１Ｂが移動台４０上を転動することにより、前記長孔４２に沿い前記長手方向に直行して移動できる。
【００２７】
前記移動部２７は、ガイドレール２６内部に配され、第１の車輪４１Ａが前記ガイドレール２６の走路片３０上を走行することにより、ガイドレール２６内をその長手方向に各々移動できる。さらにガイドレール２６内には２個の移動部２７が配され、各々の第２の移動部２７Ｂ、２７Ｂの支持軸４３、４３が、ガイドレール２６の一対のガイド部３３、３３に各々挿通し、その結果各移動部２７は、これに案内されてガイドレール２６内を移動できる。
【００２８】
また前記一対の支持軸４３、４３の取付プレート４４、４４は、前記引戸本体３の上端部の戸先、戸尻に形成された取付凹部４５、４５に各々嵌合して固着され、その結果引戸本体３は、その戸先端部、及び戸尻の端部が移動部２７、２７に吊下がる状態で支持される。これにより、前記スライド支持手段７に支持された引戸本体３は、隣接壁部４に対面する開位置と、該開位置から隣接壁部４に沿って移動するとともに、前記支持軸４３がガイド部３３の斜行部３５を移動することにより、開口部２を塞ぐ閉位置との間を平行移動しうる。なお本明細書において閉位置とは、引戸本体３が開口部２に対面する位置から開口部２の出入方向にスライドすることにより該開口部２の内側に嵌まり、開口部２を塞ぐ引戸本体３の位置を言う。図１０において、開位置、閉位置における引戸本体３を各々３Ａ、３Ｂで示す。
【００２９】
前記支持軸４３は、図１０に示すように、前記引戸本体３が閉位置に至る直前、及び閉位置から開き始めた直後において、ガイド部３３の斜行部３５内を移動するため、支持軸４３に吊下げられた引戸本体３は、矢印Ｘの方向に小さく斜めに平行移動する（図１０の引戸本体３Ｃがその時の状態を示す）。しかし、前記隣接壁部４は、傾斜部２４Ａを設けているため、前記引戸本体３は、その戸尻が隣接壁部４と衝突することがなく、傾斜部２４Ａの前方に形成された空間Ｓを移動し、スムースな開閉動作を可能とする。さらに、前記の如く、引戸本体３と隣接壁部４の衝突が回避されるため、前記ガイドレール２６の斜行部３５を緩やかに形成することにより引戸本体３の開閉の動線を更に滑らかとすることができ、これにより引戸本体３の開閉に要する力を減じることができるとともに、引戸本体３が戸当りに当る際の衝撃を緩和でき、騒音、振動発生を抑制しうる。
【００３０】
前記下支持手段７Ｄは、図１３に示すように、下レール４６と接続体４７とからなり、引戸本体３の戸尻下部を支持する。前記下レール４６は、基板４６ａと、該基板４６ａの略中央から前方に水平に伸びるウエブ４６ｂと、該ウエブ４６ｂの前端で上下に伸びる前板４６ｃとが一体に形成され、断面略Ｈ字状をなし、幅木４８に一体に取付けられる。また下レール４６は、隣接壁部４の傾斜部２４Ａに沿った下レール傾斜部５０を有する。
【００３１】
前記幅木４８は、図１、１１に示すように、前記隣接壁部４の下部に形成されるとともに壁Ｗ下部へ延び、これらは連続して形成される。また幅木４８には、前記縁壁部４Ｂの傾斜部２４Ａに沿い、開口部２に近い程その表面が後退する幅木傾斜部４９が形成される。本形態では、前記下レール４６は、前板４６ｃ上端を幅木４８に嵌合することにより、幅木４８と一体化し、しかも基板４６ａを隣接壁部４の下地部に固着することにより、下レール４６、幅木４８は、隣接壁部４の下部に取付けられる。
【００３２】
前記接続体４７は、図１３に示すように、アングル状の基部４７ａと、該基部４７ａから隣接壁部４に向けて水平に延びる板状の腕４７ｂと、該腕４７ｂの先端に設けられたローラ４７ｃとからなる。この接続体４７は、基部４７ａを引戸本体３の戸尻下部に固着するとともに、ローラ４７ｃを前記下レール４６に転動可能に係止する。これにより、水平移動する引戸本体３の戸尻下部は、接続体４７を介して下レール４６に案内されるため、引戸本体３の厚さ方向の振れが防止できる。しかも引戸本体３が閉位置に至る直前及び閉位置から開き始めた直後に、引戸本体３が小さく斜め方向に平行移動する際、下レール傾斜部５０が引戸本体３の戸尻下部を、前記移動方向に沿って支持するため、引戸本体３をスムースに開閉することができる。さらに、下レール４６は幅木４８にと一体に構成しているため、外観が優れる。
【００３３】
前記係合手段９は、前記開口縦枠８に形成される凸部１０と、引戸本体３の戸先に形成される凹部１１とからなる。本形態の凸部１０は、図４に示すように、雄金具１７を開口縦枠８に固着することにより形成される。この雄金具１７は、図７に示すように、矩形のベースプレート５１と、このベースプレート５１の中心部に一体に形成された縦にのびた膨出部１６とからなり、該膨出部１６により凸部１０が構成される。この膨出部１６は、突出寸法Ｈを例えば５〜１５ｍｍ程度、本形態では７．５ｍｍ、その上下の長さＬ１を例えば１５〜５０ｍｍ程度、本形態では２５ｍｍ、幅Ｗ１を例えば５〜２０ｍｍ程度、本形態では１０ｍｍとする。
【００３４】
前記雄金具１７は、炭素鋼など鋼板にプレス成形で膨出部１６を打ち出して成形し、またキャスティング成形することもできる。このような雄金具１７は、ベースプレート５１上下に形成された横長の取付孔５３、５３に挿通したビスなど固着具５２を用いて開口縦枠８に固着する。雄金具１７は前記横長の取付孔５３の長さ範囲において正確な位置に調整されるため凹部１１との係合をスムースに行え、さらに固着具５２を緩めて係合手段９の調整作業を容易に行える点で好ましい。なお前記横長の取付孔５３及び固着具５２により、位置調整手段１８を形成している。
【００３５】
前記凹部１１は、本形態では、図３に示すように、引戸本体３の戸先に形成された取付け穴１５に雌金具１４を嵌合することにより形成される。この雌金具１４は、図６に示すように、表側に形成され縦にのびる長穴１２と、裏側に形成された溝部５４に埋設された磁石１３と、前記長穴１２の奥に形成された上下一対の取付孔５５、５５とを含み構成されたものが例示され、前記長穴１２により凹部１１を構成している。この長穴１２は、膨出部１６を水平方向にガタツキなく挿入させるため、その幅Ｗ２が前記雄金具１７の膨出部１６の幅Ｗ１よりも、例えば０．０３〜０．２ｍｍ程度の微小寸法大きく形成される。従って幅Ｗ２は例えば５〜２０ｍｍ程度、本形態では１０．１ｍｍ、深さ寸法Ｄは例えば６〜１６ｍｍ程度、本形態では８ｍｍ、その上下の長さＬ２は例えば３０〜１００ｍｍ程度、本形態では５６ｍｍとする。なお前記幅Ｗ２を奥に向って漸減させることにより長穴１２の内側面をテーパ状に形成すると、膨出部１６の挿入動作が一層スムースとなる点で好ましい。
【００３６】
前記雌金具１４は、ポリアミド樹脂（ナイロン）、ポリプロピレン樹脂、ポリエチレン樹脂、ＡＢＳ樹脂などによりプラスチック成形され、或いはアルミ、真鍮などを用いキャスティング成形することもできる。このように成形された雌金具１４は、図３に示すように、引戸本体３の戸先に形成された取付け穴１５に嵌合するとともに、前記取付孔５５に挿通された固着具（図示せず）により固着される。
【００３７】
このように、雄金具１７により開口縦枠８に形成された凸部１０は、図５に示すように、閉位置における引戸本体３に雌金具１４により形成された凹部１１内にガタツキを生じることなく挿入し、前記スライド支持手段７により吊下げられた引戸本体３の厚さ方向の振れを抑制することができる。その結果、風、歩行による振動などにより引戸本体３が振動音を生じることを防止でき、さらには外観上の安定感を得ることができる。
【００３８】
又この係合手段９は、少なくとも開口部２の下位に一つが形成される。そのため、引戸本体３の振れを確実に止めることができる。さらに本形態では図１に示すように、開口部２の上下二箇所に係合手段９を設けるため、スライド支持手段７と共に引戸本体３の周縁部が均衡する位置で保持され、振れが一層確実に抑制される。更に係合手段９を三個以上隔設することもできる。
【００３９】
また、開口縦枠８に凸部１０を設け、他方引戸本体３には凹部１１を形成しているため、開口部２内を移動する引戸本体３の戸先には、突出する物がなく、その結果戸先で腕など体の一部、衣類その他を引掛ける危険を防止できる。さらに本形態では、雄金具１７、雌金具１４を用い、これらを各々開口縦枠８、及び引戸本体３の戸先に固着することにより凸部１０、及び凹部１１を形成して係合手段９を構成するため、施工性に優れるとともに、凸部１０と凹部１１との微妙な係合調整を容易に行える点で好ましい。
【００４０】
また前記本形態の雌金具１４は、前記の如く裏側に磁石１３が埋設されるため雌金具１４により形成される凹部１１は、前記磁石１３により磁力を帯びた吸着体１９として構成される。他方炭素鋼など鋼板を用いて形成される雄金具１７の膨出部１６が形成する凸部１０は、磁力によって吸着体１９と引合い吸着する被吸着体２０として構成される。このように本形態では、凹部１１とこの凹部１１の挿入する凸部１０とが、磁力により引合い吸着するため、引戸本体３の前記振れが一層確実に抑制され、さらに磁力によって引戸本体３が開口縦枠８に引寄せられるため閉位置の引戸本体３の戸先と開口縦枠８とに隙間を生じることがなく、閉止動作において開口縦枠８との衝突による引戸本体３の跳ね返りが防止される。
【００４１】
また凸部１０を磁力を具えた吸着体１９とし、凹部１１を鉄、コバルト、ニッケルなど磁性体を用いた被吸着体２０とすることもできる。さらには、凸部１０、凹部１１の向合う面の一方に、Ｎ極またはＳ極を表面に配した磁石を設け、他方にＳ極またはＮ極を表面に配した磁石を配して構成することもよい。
【図面の簡単な説明】
【００４２】
【図１】本発明の一実施の形態を例示する斜視図である。
【図２】その斜視図である。
【図３】凹部を説明する、破断拡大斜視図である。
【図４】凸部を説明する要部拡大斜視図である。
【図５】図１のＥ−Ｅ断面図である。
【図６】雌金具を示し、（１）は正面図、（２）はそのＦ−Ｆ断面図、（３）はそのＧ−Ｇ断面図である。
【図７】雄金具を示し、（１）は正面図、（２）はそのＨ−Ｈ断面図、（３）はそのＩ−Ｉ断面図である。
【図８】スライド支持手段を説明する要部斜視図である。
【図９】図１のＡ−Ａ断面図である。
【図１０】図１のＢ−Ｂ断面図である。
【図１１】図１のＣ−Ｃ断面図である。
【図１２】図１のＤ−Ｄ断面図である。
【図１３】下レールを説明する要部斜視図である。
【図１４】従来例の要部正面図である。
【符号の説明】
【００４３】
１      引戸装置
２      開口部
３      引戸本体
４      隣接壁部
７      スライド支持手段
８      開口縦枠
９      係合手段
１０      凸部
１１      凹部
１２      長穴
１３      磁石
１４      雌金具
１５      取付け穴
１６      膨出部
１７      雄金具
１８      位置調整手段
１９      吸着体
２０      被吸着体
【図１】
2006104885.tif 000003
【図２】
2006104885.tif 000004
【図３】
2006104885.tif 000005
【図４】
2006104885.tif 000006
【図５】
2006104885.tif 000007
【図６】
2006104885.tif 000008
【図７】
2006104885.tif 000009
【図８】
2006104885.tif 000010
【図９】
2006104885.tif 000011
【図１０】
2006104885.tif 000012
【図１１】
2006104885.tif 000013
【図１２】
2006104885.tif 000014
【図１３】
2006104885.tif 000015
【図１４】
2006104885.tif 000016